(57)【要約】【課題】  光量の調整範囲を拡大するとともに、小型化を図る上で有利な調光装置および撮像装置を提供する。【解決手段】  調光装置１６は、撮影光学系１２と撮像素子１４の間に設けられた第１、第２の調光手段２０、２２と、これらの制御を行う制御手段２４とを備えている。第１の調光手段２０は、減光フィルタ２００２と、減光フィルタ２００２を光路上に位置する作動位置と光路上から退避した非作動位置とに移動させる減光フィルタ移動手段２００４とで構成されている。第２の調光手段２２は、調光素子２２０２と、調光素子２２０２を駆動する調光素子駆動手段２２０４とで構成されている。第１の調光手段２０によって光透過率を段階的に調整するとともに、第２の調光手段２２によって光透過率を連続的に調整することにより光透過率を広い範囲にわたって連続的に調整することができる。【選択図】        図１
2005037770.tif 000002
【特許請求の範囲】
【請求項１】
透過光量を調整する調光装置であって、
光が通過する光路上に位置しその光透過率が段階的に調整できるように構成された第１の調光手段と、
前記光路上に位置してその光透過率が連続的に調整できるように構成された第２の調光手段と、
前記第１の調光手段の光透過率と前記第２の調光手段の光透過率とを制御する制御手段と、
を備えたことを特徴とする調光装置。
【請求項２】
前記第１の調光手段は、所定の光透過率を有する減光フィルタと、該減光フィルタを前記光路上に位置する作動位置と前記光路上から退避した非作動位置とに移動させる減光フィルタ移動手段とで構成され、前記制御手段による前記第１の調光手段の光透過率の制御は前記減光フィルタ移動手段によって前記減光フィルタを前記作動位置と非作動位置とに移動させることによってなされることを特徴とする請求項１記載の調光装置。
【請求項３】
前記減光フィルタは、光透過率τＮが互いに異なり平面的に並べられた複数の減光フィルタ片から構成され、前記複数の減光フィルタ片から選択された１つの減光フィルタ片が前記作動位置に位置したとき、残りの減光フィルタ片は非作動位置に位置されるように構成されていることを特徴とする請求項２記載の調光装置。
【請求項４】
前記第２の調光手段の光透過率のうち、光が最も透過する最大光透過率をτｍａｘとし、光が最も透過しない最小光透過率をτｍｉｎとし、前記第２の調光手段の調光範囲をτＡ＝τｍａｘ−τｍｉｎとし、前記減光フィルタは２つの減光フィルタ片ＮＤ１、ＮＤ２から構成されるとし、これら２つの減光フィルタ片ＮＤ１、ＮＤ２の光透過率をそれぞれτＮＤ１、τＮＤ２（ただしτＮＤ１＞τＮＤ２）とし、τＮＤ１−τＮＤ２＝ΔτＮＤとしたときに、τＡ≧ΔτＮＤとなるように設定されていることを特徴とする請求項３記載の調光装置。
【請求項５】
前記第２の調光手段の光透過率のうち、光が最も透過する最大光透過率をτｍａｘとし、光が最も透過しない最小光透過率をτｍｉｎとし、前記第２の調光手段の調光範囲をτＡ＝τｍａｘ−τｍｉｎとし、前記減光フィルタが３つ以上の減光フィルタ片ＮＤ１、ＮＤ２、……ＮＤｎ（ただしｎは３以上の整数）から構成されるとし、これら複数の減光フィルタＮＤ１、ＮＤ２、……ＮＤｎの光透過率をそれぞれτＮＤ１、τＮＤ２、……、τＮＤｎ（ただしτＮＤ１＞τＮＤ２＞、……＞τＮＤｎ）とし、τＮＤ１−τＮＤ２、τＮＤ２−τＮＤ３、……、τＮＤ（ｎ−１）−τＮＤｎのうちの最大値をΔτＮＤｍａｘとしたときに、τＡ≧ΔτＮＤｍａｘとなるように設定されていることを特徴とする請求項３記載の調光装置。
【請求項６】
前記第２の調光手段は、調光素子と、該調光素子を駆動する調光素子駆動手段とを有し、前記制御手段による前記第２の調光手段の光透過率の制御は前記調光素子駆動手段によって前記調光素子を駆動させることによってなされることを特徴とする請求項１記載の調光装置。
【請求項７】
前記調光素子は液晶素子、あるいは、化学変化を用いたエレクトロクロミックで構成されていることを特徴とする請求項６記載の調光装置。
【請求項８】
前記減光フィルタはＮＤフィルタ、あるいは、偏光板で構成されていることを特徴とする請求項７記載の調光装置。
【請求項９】
撮影光学系と、
前記撮影光学系によって結像された像を撮像して撮像信号を出力する撮像素子と、
前記撮像素子に到達する光の透過光量を調整する調光装置とを備えた撮像装置であって、
前記調光装置は、
光が通過する光路上に位置しその光透過率が段階的に調整できるように構成された第１の調光手段と、
前記光路上に位置してその光透過率が連続的に調整できるように構成された第２の調光手段と、
前記第１の調光手段の光透過率と前記第２の調光手段の光透過率とを制御する制御手段と、
を備えたことを特徴とする撮像装置。
【請求項１０】
前記第１の調光手段および第２の調光手段は前記撮影光学系と前記撮像素子の間に配置されていることを特徴とする請求項９記載の撮像装置。
【請求項１１】
前記第１の調光手段は、所定の光透過率を有する減光フィルタと、該減光フィルタを前記光路上に位置する作動位置と前記光路上から退避した非作動位置とに移動させる減光フィルタ移動手段とで構成され、前記制御手段による前記第１の調光手段の光透過率の制御は前記減光フィルタ移動手段によって前記減光フィルタを前記作動位置と非作動位置とに移動させることによってなされることを特徴とする請求項９記載の撮像装置。
【請求項１２】
前記減光フィルタ制御手段による前記減光フィルタの前記作動位置および非作動位置への移動は前記撮像素子による撮像動作がなされていない期間になされることを特徴とする請求項１１記載の撮像装置。
【請求項１３】
前記減光フィルタは、光透過率τＮが互いに異なり平面的に並べられた複数の減光フィルタ片から構成され、前記複数の減光フィルタ片から選択された１つの減光フィルタ片が前記作動位置に位置したとき、残りの減光フィルタ片は非作動位置に位置されるように構成されていることを特徴とする請求項１１記載の撮像装置。
【請求項１４】
前記第２の調光手段の光透過率のうち、光が最も透過する最大光透過率をτｍａｘとし、光が最も透過しない最小光透過率をτｍｉｎとし、前記第２の調光手段の調光範囲をτＡ＝τｍａｘ−τｍｉｎとし、前記減光フィルタは２つの減光フィルタ片ＮＤ１、ＮＤ２から構成されるとし、これら２つの減光フィルタ片ＮＤ１、ＮＤ２の光透過率をそれぞれτＮＤ１、τＮＤ２（ただしτＮＤ１＞τＮＤ２）とし、τＮＤ１−τＮＤ２＝ΔτＮＤとしたときに、τＡ≧ΔτＮＤとなるように設定されていることを特徴とする請求項１３記載の撮像装置。
【請求項１５】
前記第２の調光手段の光透過率のうち、光が最も透過する最大光透過率をτｍａｘとし、光が最も透過しない最小光透過率をτｍｉｎとし、前記第２の調光手段の調光範囲をτＡ＝τｍａｘ−τｍｉｎとし、前記減光フィルタが３つ以上の減光フィルタ片ＮＤ１、ＮＤ２、……ＮＤｎ（ただしｎは３以上の整数）から構成されるとし、これら複数の減光フィルタＮＤ１、ＮＤ２、……ＮＤｎの光透過率をそれぞれτＮＤ１、τＮＤ２、……、τＮＤｎ（ただしτＮＤ１＞τＮＤ２＞、……＞τＮＤｎ）とし、τＮＤ１−τＮＤ２、τＮＤ２−τＮＤ３、……、τＮＤ（ｎ−１）−τＮＤｎのうちの最大値をΔτＮＤｍａｘとしたときに、τＡ≧ΔτＮＤｍａｘとなるように設定されていることを特徴とする請求項１３記載の撮像装置。
【請求項１６】
前記第１の調光手段は、調光素子と、該調光素子の光透過率を制御する調光素子制御手段とを有することを特徴とする特徴とする請求項９記載の撮像装置。
【請求項１７】
前記調光素子は液晶素子、あるいは、化学変化を用いたエレクトロクロミックで構成されていることを特徴とする請求項９記載の撮像装置。
【請求項１８】
前記減光フィルタはＮＤフィルタ、あるいは、偏光板で構成されていることを特徴とする請求項９記載の撮像装置。
【発明の詳細な説明】
【技術分野】
【０００１】
本発明は調光装置および撮像装置に関する。
【背景技術】
【０００２】
ビデオカメラなどの撮像装置では、撮影光学系で撮影された被写体像を撮像素子に結像することで撮像信号を検出している。
そして、撮像素子によって検出可能な光量には上限があるため、撮影光学系によって撮像素子に導かれる光量が上限を上回らないように調整する調光装置が撮像装置に組み込まれている。
従来、このような調光装置としては、開口を調節できるように構成されたアイリス絞りを用いるもの、アイリス絞りにＮＤフィルタを組み合わせたものが用いられているが、アイリス絞りは光量を絞ったときに回折劣化を生じる欠点があり、このような回折劣化は撮像装置の高性能化を図る上で問題となっている。
一方、このような回折劣化を生じない調光装置として、液晶素子を用いて光量を調整するものが提案されている（例えば特許文献１参照）。
【特許文献１】特開２００２−３０３８５０号公報
【発明の開示】
【発明が解決しようとする課題】
【０００３】
しかしながら、液晶素子によって実現される光量の調整範囲（光透過率の調整範囲）は、実際の撮像装置で必要とされる光量の調整範囲に比較して狭いため、このような液晶素子を用いた調光装置は未だ実用化されていない。
また、撮像装置の小型化に伴い調光装置および光学系の省スペース化が求められている。
本発明は、このような事情に鑑みなされたものであり、光量の調整範囲を拡大するとともに、小型化を図る上で有利な調光装置および撮像装置を提供することにある。
【課題を解決するための手段】
【０００４】
上述の目的を達成するため、本発明にかかる調光装置は、透過光量を調整する調光装置であって、光が通過する光路上に位置しその光透過率が段階的に調整できるように構成された第１の調光手段と、前記光路上に位置してその光透過率が連続的に調整できるように構成された第２の調光手段と、前記第１の調光手段の光透過率と前記第２の調光手段の光透過率とを制御する制御手段とを備えたことを特徴とする。
また、本発明にかかる撮像装置は、撮影光学系と、前記撮影光学系によって結像された像を撮像して撮像信号を出力する撮像素子と、前記撮像素子に到達する光の透過光量を調整する調光装置とを備えた撮像装置であって、前記調光装置は、光が通過する光路上に位置しその光透過率が段階的に調整できるように構成された第１の調光手段と、前記光路上に位置してその光透過率が連続的に調整できるように構成された第２の調光手段と、前記第１の調光手段の光透過率と前記第２の調光手段の光透過率とを制御する制御手段とを備えたことを特徴とする。
【発明の効果】
【０００５】
そのため、第１の調光手段によって光透過率を段階的に調整するとともに、第２の調光手段によって光透過率を連続的に調整することにより、調光装置の光透過率を広い範囲にわたって連続的に調整することができる。
また、第１、第２の調光手段はアイリス絞りを用いていないため、第１、第２の調光手段を透過する光が平行光線である必要がない。これにより撮影光学系は平行光線を生成しなくてよいため、構成を簡素化して光路長を短縮できる。
したがって、本発明にかかる調光装置および撮像装置によれば、光量の調整範囲を拡大するとともに、小型化を図る上で有利となる。
【発明を実施するための最良の形態】
【０００６】
光量の調整範囲を拡大するとともに小型化を図るという目的を、アイリス絞りを用いることなく簡素な構成で実現した。
【実施例１】
【０００７】
次に本発明の実施例１について図面を参照して説明する。
図１は実施例１の撮像装置および調光装置の概略構成を示すブロック図、図２は撮像装置および調光装置の構成図、図３は調光装置の要部を示す斜視図、図４（Ａ）は第１の調光手段の光透過率の変化を示す図、図４（Ｂ）は第２の調光手段の光透過率の変化を示す図、図４（Ｃ）は調光装置の光透過率の変化を示す図である。
【０００８】
図１に示すように、撮像装置１０は、撮影光学系１２と、撮像素子１４と、調光装置１６とを備えて、静止画および動画を撮像するように構成されている。
撮影光学系１２は鏡筒１２０２内に配設された複数のレンズから構成され、被写体像を撮像素子１４に結像するように構成されている。
撮像素子１４は鏡筒１２０２の後端に配設されており、撮影光学系１２によって結像された像から撮像信号を出力するように構成されており、本例においてはＣＣＤなどによって構成されている。
前記撮像信号は演算処理部１８によって取り込まれ該演算処理部１８によって所定の信号処理がなされ映像信号として出力される。映像信号は不図示のディスプレイに供給されることにより映像が表示され、また、不図示の記録再生部に供給されることにより記録媒体に映像が記録される。
【０００９】
調光装置１６は、撮影光学系１２と撮像素子１４の間に設けられた第１、第２の調光手段２０、２２と、これら第１、第２の調光手段２０、２２の制御を行う制御手段２４とを備えている。
図２に示すように、第１の調光手段２０は、撮影光学系１２の後方で該撮影光学系１２の光路上に配置された減光フィルタ２００２と、減光フィルタ２００２を前記光路上に位置する作動位置と前記光路上から退避した非作動位置とに移動させる減光フィルタ移動手段２００４とで構成されている。
さらに詳しくは、図３に示すように、減光フィルタ２００２は、光透過率が互いに異なる複数の減光フィルタ片から構成されている。本例では減光フィルタ２００２は、ＮＤフィルタからなる第１乃至第３減光フィルタ片２００６、２００８、２０１０で構成されている。これら第１乃至第３減光フィルタ片２００６、２００８、２０１０の光透過率をそれぞれτＮ１、τＮ２、τＮ３とした場合、本例では、τＮ１＞τＮ２＞τＮ３となっている。
第１乃至第３減光フィルタ片２００６、２００８、２０１０は枠体２０１２に保持されている。枠体２０１２は、上下方向に延在する２つの縦片と、２つの縦片の下部を連結する連結片とを有し、これら２つの縦辺と連結片の間に第１乃至第３減光フィルタ片２００６、２００８、２０１０が取着されている。
２つの縦片には案内溝がそれぞれ延在形成され、これら案内溝が鏡筒１２０２内に設けられた不図示のガイド部材によって案内されることで、減光フィルタ２００２が前記光路Ｌと直交する方向に移動可能に保持されている。本例では、第１乃至第３減光フィルタ片２００６、２００８、２０１０は枠体２０１２の移動方向に沿って平面的に並べられている。
減光フィルタ移動手段２００４は、支軸を中心に揺動する揺動アーム２００６を有したアクチュエータ２０１４で構成され、前記揺動アーム２０１６の先端が枠体２０１２の連結片に連結されている。したがって、揺動アーム２０１６が揺動することにより枠体２０１２が上下方向に移動されるように構成されている。
また、減光フィルタ移動手段２００４によって枠体２０１２が移動されることにより、第１乃至第３減光フィルタ片２００４、２００６、２００８から選択された１つの減光フィルタ片が前記作動位置に位置したとき、残りの減光フィルタ片は非作動位置に位置されるように構成されている。
したがって、減光フィルタ移動手段２００４によって枠体２０１２が移動され、第１乃至第３減光フィルタ片２００４、２００６、２００８から選択された１つの減光フィルタ片が前記作動位置に位置することにより、その光透過率がτＮ１、τＮ２、τＮ３と段階的に調整できるように構成されている。また、減光フィルタ移動手段２００４によって枠体２０１２が移動され、減光フィルタ２００２が前記非作動位置に位置することにより、その光透過率は最大（１００％）となるように構成されている。
【００１０】
図１に示すように、第２の調光手段２２は、第１の調光手段２０の減光フィルタ２００２と撮像素子１４との間で撮影光学系１２の光路上に配置された調光素子２２０２と、調光素子２２０２を駆動する調光素子駆動手段２２０４とで構成されている。
本例では、調光素子２２０２は液晶素子によって構成され、調光素子駆動手段２２０４は調光素子２２０２に駆動信号を与えることにより、調光素子２２０２の光透過率τを、光が最も透過する最大光透過率をτｍａｘと光が最も透過しない最小光透過率τｍｉｎとの間で連続的に調整できるように構成されている。したがって、第２の調光手段２２による調光素子２２０２の調光範囲τＡはτｍａｘ−τｍｉｎとなる。また、本例では、調光素子２２０２のτｍａｘは１００％であるものとして説明する。
【００１１】
制御手段２４は、本例ではマイクロコンピュータによって構成され、減光フィルタ移動手段２００４と調光素子駆動手段２２０４とを制御することにより、第１の調光手段２０による光透過率と、第２の調光手段２２による光透過率とを制御するように構成されている。
【００１２】
次に、本実施例の撮像装置１０および調光装置１６の動作について説明する。
図４（Ａ）は第１の調光手段２０による透過光量の調整を説明する図、（Ｂ）は第２調光手段２２による透過光量の調整を説明する図、（Ｃ）は調光装置１６による透過光量の調整を説明する図である。図４（Ａ）乃至（Ｃ）において横軸は時間（任意単位）、縦軸は透過光量（任意単位）を示し、縦軸の透過光量は上方に向かうほどその値が小となり、下方に向かうほどその値が大となっている。
以下では、時点ｔ０から時点ｔ４の間で透過光量を最大値から最小値に変化させる場合について説明する。
まず、時点ｔ０では、制御手段２４の制御により、第１の調光手段２０の減光フィルタ２００２は非作動位置に位置しており（図４（Ａ））、かつ、第２の調光手段２２の調光素子２２０２は最大光透過率τｍａｘになっている（図４（Ｂ））。したがって、調光装置１６の光透過率はτ０＝τｍａｘとなる（図４（Ｃ））。
次に、時点ｔ０から時点ｔ１までの間では、制御手段２４の制御により、第２の調光手段２２の調光素子２２０２の透過率τがτｍａｘからτＣ１に連続的に調整される（図４（Ｂ））。ただし、このτＣ１は第１減光フィルタ片２００４の光透過率τＮＤ１に設定されている。したがって、調光装置１６の光透過率はτ０からτ１＝τＣ１にわたって連続的に調整される。
そして、時点ｔ１になると、制御手段２４の制御により、第１の調光手段２０の第１減光フィルタ片２００４が作動位置に位置され（図４（Ａ））、これと同時に、第２の調光手段２２の調光素子２２０２の透過率τがτｍａｘに戻される（図４（Ｂ））。したがって、調光装置１６の光透過率はτ１＝τＣ１となっている（図４（Ｃ））。
【００１３】
次に、時点ｔ１から時点ｔ２までの間では、制御手段２４の制御により、第２の調光手段２２の調光素子２２０２の透過率τがτｍａｘからτＣ２に連続的に調整される（図４（Ｂ））。ただし、このτＣ２は第１減光フィルタ片２００４の光透過率τＮＤ１と第２減光フィルタ片２００６の光透過率τＮＤ２との差分（τＮＤ１−τＮＤ２）に設定されている。したがって、調光装置１６の光透過率はτ１からτ２＝τＮＤ２にわたって連続的に調整される。
そして、時点ｔ２になると、制御手段２４の制御により、第１の調光手段２０の第２減光フィルタ片２００６が作動位置に位置され（図４（Ａ））、これと同時に、第２の調光手段２２の調光素子２２０２の透過率τがτｍａｘに戻される（図４（Ｂ））。したがって、調光装置１６の光透過率はτ２＝τＮＤ２となっている（図４（Ｃ））。
【００１４】
次に、時点ｔ２から時点ｔ３までの間では、制御手段２４の制御により、第２の調光手段２２の調光素子２２０２の透過率τがτｍａｘからτＣ３に連続的に調整される（図４（Ｂ））。ただし、このτＣ３は第２減光フィルタ片２００６の光透過率τＮＤ２と第３減光フィルタ片２００８の光透過率τＮＤ３との差分（τＮＤ２−τＮＤ３）に設定されている。したがって、調光装置１６の光透過率はτ２からτ３＝τＮＤ３にわたって連続的に調整される。
そして、時点ｔ３になると、制御手段２４の制御により、第１の調光手段２０の第３減光フィルタ片２００８が作動位置に位置され（図４（Ａ））、これと同時に、第３の調光手段２２の調光素子２２０２の透過率τがτｍａｘに戻される（図４（Ｂ））。したがって、調光装置１６の光透過率はτ３＝τＮＤ３となっている（図４（Ｃ））。
【００１５】
次に、時点ｔ３から時点ｔ４までの間では、制御手段２４の制御により、第２の調光手段２２の調光素子２２０２の透過率τがτｍａｘからτｍｉｎに連続的に調整される（図４（Ｂ））。したがって、調光装置１６の光透過率はτ３からτ４＝τＮＤ−τｍｉｎにわたって連続的に調整される（図４（Ｃ））。
このようにして調光装置１６の光透過率τがτ０からτ４の間にわたって連続的に調整される。
【００１６】
なお、本実施例では、第２の調光手段２２の調光範囲をτＡ＝τｍａｘ−τｍｉｎとし、第１の調光手段２０の第１乃至第３減光フィルタ片２００４、２００６、２００８の光透過率をそれぞれτＮＤ１、τＮＤ２、τＮＤ３としたので、調光装置１６の光透過率を連続的に調整できるようにするためには、τＮＤ１−τＮＤ２、τＮＤ２−τＮＤ３のうちの最大値（本例ではτＮＤ２−τＮＤ３）をΔτＮＤｍａｘとしたときに、τＡ≧ΔτＮＤｍａｘとなるように設定することが必要である。
また、本実施例では、調光素子２２０２の最大光透過率τｍａｘが１００％であるものとしたので、τＣ１＝τＮＤ１、τＣ２＝（τＮＤ１−τＮＤ２）、τＣ３＝（τＮＤ２−τＮＤ３）とした。しかしながら、τｍａｘが１００％未満、例えば（１００−Δτ）％である場合には、調光素子２２０２の光透過率τＣ１、τＣ２、τＣ３をそれぞれΔτ％分だけ加算した値、すなわちτＣ１＝τＮＤ１＋Δτ、τＣ２＝（τＮＤ１−τＮＤ２）＋Δτ、τＣ３＝（τＮＤ２−τＮＤ３）＋Δτとすればよい。
【００１７】
また、調光装置１６において第１の調光手段２０の減光フィルタ２００２を作動位置と非作動位置の間で移動させる際には、光路上を各減光フィルタ片の境界が通過するため、撮像素子１４上に結像される被写体像に部分的な明暗の差が生じる。したがって、この状態で撮像素子１４による撮像動作がなされると、撮像信号に好ましくない影響を与えるおそれがある。
したがって、減光フィルタ移動手段２００４による減光フィルタ２００２の作動位置および非作動位置への移動は、撮像素子１４による撮像動作がなされていない時間に行うことが好ましい。言い換えれば、撮像された静止画および動画に影響が及ばないようにすればよい。
具体的には、静止画を撮像する際には、１画面分の撮像動作がなされている期間は減光フィルタ２００２の移動を禁止し、それ以外の期間で減光フィルタ２００２の移動を行うようにする。また、動画を撮像する際には、１フレーム分の撮像動作がなされている期間は減光フィルタ２００２の移動を禁止し、それ以外の期間（不感帯時間）で減光フィルタ２００２の移動を行うようにする。
【００１８】
以上説明したように本実施例によれば、第１の調光手段２０によって光透過率を段階的に調整するとともに、第２の調光手段２２によって光透過率を連続的に調整することにより、調光装置１６の光透過率を広い範囲にわたって連続的に調整することができる。したがって、光量の調整範囲を拡大する上で有利となる。
また、第１、第２の調光手段はアイリス絞りを用いていないため、第１、第２の調光手段を透過する光が平行光線である必要がない。このため、図２に示すように、撮影光学系１２によって収束された光が撮像素子１４に至る光路上、すなわち撮影光学系１２と撮像素子１４の間に第１、第２の調光手段２０、２２を配設することができる。
したがって、撮影光学系１２は平行光線を生成しなくてよいため、構成を簡素化して光路長を短縮でき撮像装置１０の小型化を図る上で有利となる。
また、第１、第２の調光手段を透過する光が平行光線である必要がないので、第１、第２の調光手段の配設位置に制約がなく、設計の自由度を確保する上でも有利である。
【００１９】
次に比較例について説明する。
図５は、従来のＮＤフィルタとアイリス絞りを用いた調光装置を備えた撮像装置の例を示す図である。
撮像装置は、撮影光学系５２、５４と、これら撮影光学系５２、５４の間に配設された調光装置としてのＮＤフィルタ５６およびアイリス絞り５８と、撮像素子６０とを備えている。
ＮＤフィルタ５６は光路上に位置する作動位置と、光路上から退避した非作動位置との間で移動可能に設けられている。
撮影光学系５２、５４は、被写体像を収束して撮像素子６０に結像するように構成されるとともに、アイリス絞り５８の部分で光が平行光線となるように構成されている。
したがって、本実施例を示す図２に比較して、撮像光学系５２、５４の構成が複雑になり、光路長が長くなっていることが明らかであり、本実施例が小型化を図る上で有利であることがわかる。
【００２０】
なお、本実施例では、減光フィルタ２００２を調光素子２２の前方に配置したが、調光素子２２を減光フィルタ２００２の前方に配置してもよいことはもちろんである。
また、減光フィルタ２００２を構成する複数の減光フィルタ片として光透過率の異なるＮＤフィルタを用いたが、ＮＤフィルタの代わりに偏光度の異なる偏光フィルタを用いてもよい。
また、調光素子２２０２として液晶素子を用いたが、光透過率を連続的に調整できる素子であればよく、例えば化学変化を用いたエレクトロクロミックを用いてもよい。
また、本発明の調光装置および撮像装置にアイリス絞りを設けることは任意である。
【００２１】
また、本実施例では、減光フィルタ２００２が３つの減光フィルタ片で構成された場合について説明したが、減光フィルタ片が１個、２個、あるいはＮ個（Ｎは３以上）の減光フィルタで構成されてもかまわない。
ただし、減光フィルタ片２００２が２つの減光フィルタ片ＮＤ１、ＮＤ２から構成されているとし、これら２つの減光フィルタ片ＮＤ１、ＮＤ２の光透過率がそれぞれτＮＤ１、τＮＤ２（ただしτＮＤ１＞τＮＤ２）とし、τＮＤ１−τＮＤ２＝ΔτＮＤとしたときに、τＡ≧ΔτＮＤとなるように設定されていればよい。
また、減光フィルタ２００２がＮ個の減光フィルタ片ＮＤ１、ＮＤ２、……ＮＤｎ（ただしｎは３以上の整数）から構成されているとし、これらＮ個の減光フィルタ片ＮＤ１、ＮＤ２、……ＮＤｎの光透過率をそれぞれτＮＤ１、τＮＤ２、……、τＮＤｎ（ただしτＮＤ１＞τＮＤ２＞、……＞τＮＤｎ）とし、τＮＤ１−τＮＤ２、τＮＤ２−τＮＤ３、……、τＮＤ（ｎ−１）−τＮＤｎのうちの最大値をΔτＮＤｍａｘとしたときに、τＡ≧ΔτＮＤｍａｘとなるように設定されていればよい。
【図面の簡単な説明】
【００２２】
【図１】実施例１の撮像装置および調光装置の概略構成を示すブロック図である。
【図２】撮像装置および調光装置の構成図である。
【図３】調光装置の要部を示す斜視図である。
【図４（Ａ）】第１の調光手段の光透過率の変化を示す図である。
【図４（Ｂ）】第２の調光手段の光透過率の変化を示す図である。
【図４（Ｃ）】調光装置の光透過率の変化を示す図である。
【図５】従来のＮＤフィルタとアイリス絞りを用いた調光装置の例を示す図である。
【符号の説明】
【００２３】
１０……撮像装置、１２……撮影光学系、１４……撮像素子、１６……調光装置、１８……演算処理部、２０……第１の調光手段、２２……第２の調光手段。
【図１】
2005037770.tif 000003
【図２】
2005037770.tif 000004
【図３】
2005037770.tif 000005
【図４（Ａ）】
2005037770.tif 000006
【図４（Ｂ）】
2005037770.tif 000007
【図４（Ｃ）】
2005037770.tif 000008
【図５】
2005037770.tif 000009